【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
導電性支持体、該導電性支持体上に形成された電荷発生層、該電荷発生層上に形成された電荷輸送層、及び、該電荷輸送層上に形成された表面保護層を有する電子写真感光体において、
該電荷輸送層が、下記式（１）で示される繰り返し構造単位を有するポリアリレート樹脂及び電荷輸送性物質を含有する層であり、
該表面保護層が、連鎖重合性官能基を有する電荷輸送性物質を溶剤に溶解させて得られる表面保護層用塗布液を該電荷輸送層上に塗布し、これを硬化させることによって形成された層である
ことを特徴とする電子写真感光体。
【化１】
2007298952.tif 000001
（式（１）中、Ｒ１１〜Ｒ１８及びＲ２１〜Ｒ２８は、それぞれ独立に、水素原子、炭素数１〜４のアルキル基、アリール基、または、炭素数１〜３のアルコキシ基を示す。Ｘは、単結合、酸素原子、硫黄原子、または、下記式（２）で示される２価の基を示す。
【化２】
2007298952.tif 000002
（式（２）中、Ｒ３１及びＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【請求項２】
導電性支持体上に電荷発生層、電荷輸送層及び表面保護層をこの順に形成して電子写真感光体を製造する方法において、
該電荷輸送層を、下記式（１）で示される繰り返し構造単位を有するポリアリレート樹脂及び電荷輸送性物質を含有する電荷輸送層用塗布液を該電荷発生層上に塗布し、これを乾燥させることによって形成し、
該表面保護層を、連鎖重合性官能基を有する電荷輸送性物質を溶剤に溶解させて得られる表面保護層用塗布液を該電荷輸送層上に塗布し、これを硬化させることによって形成する
ことを特徴とする電子写真感光体の製造方法。
【化３】
2007298952.tif 000003
（式（１）中、Ｒ１１〜Ｒ１８及びＲ２１〜Ｒ２８は、それぞれ独立に、水素原子、炭素数１〜４のアルキル基、アリール基、または、炭素数１〜３のアルコキシ基を示す。Ｘは、単結合、酸素原子、硫黄原子、または、下記式（２）で示される２価の基を示す。
【化４】
2007298952.tif 000004
（式（２）中、Ｒ３１及びＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【請求項３】
請求項１に記載の電子写真感光体と、帯電手段、現像手段及びクリーニング手段からなる群より選ばれた少なくとも１つの手段とを一体に支持し、電子写真装置に着脱自在であることを特徴とするプロセスカートリッジ。
【請求項４】
請求項１に記載の電子写真感光体、帯電手段、露光手段、現像手段、転写手段及びクリーニング手段を有することを特徴とする電子写真装置。
【手続補正２】
【補正対象書類名】明細書
【補正対象項目名】０００７
【補正方法】変更
【補正の内容】
【０００７】
本発明は、導電性支持体、該導電性支持体上に形成された電荷発生層、該電荷発生層上に形成された電荷輸送層、及び、該電荷輸送層上に形成された表面保護層を有する電子写真感光体において、
該電荷輸送層が、下記式（１）で示される繰り返し構造単位を有するポリアリレート樹脂及び電荷輸送性物質を含有する層であり、
該表面保護層が、連鎖重合性官能基を有する電荷輸送性物質を溶剤に溶解させて得られる表面保護層用塗布液を該電荷輸送層上に塗布し、これを硬化させることによって形成された層である
ことを特徴とする電子写真感光体である。
【手続補正３】
【補正対象書類名】明細書
【補正対象項目名】０００８
【補正方法】変更
【補正の内容】
【０００８】
【化５】
2007298952.tif 000005
【手続補正４】
【補正対象書類名】明細書
【補正対象項目名】０００９
【補正方法】変更
【補正の内容】
【０００９】
（式（１）中、Ｒ１１〜Ｒ１８及びＲ２１〜Ｒ２８は、それぞれ独立に、水素原子、炭素数１〜４のアルキル基、アリール基、または、炭素数１〜３のアルコキシ基を示す。Ｘは、単結合、酸素原子、硫黄原子、または、下記式（２）で示される２価の基を示す。
【手続補正５】
【補正対象書類名】明細書
【補正対象項目名】００１０
【補正方法】変更
【補正の内容】
【００１０】
【化６】
2007298952.tif 000006
【手続補正６】
【補正対象書類名】明細書
【補正対象項目名】００１１
【補正方法】変更
【補正の内容】
【００１１】
（式（２）中、Ｒ３１及びＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【手続補正７】
【補正対象書類名】明細書
【補正対象項目名】００１２
【補正方法】変更
【補正の内容】
【００１２】
また、本発明は、導電性支持体上に電荷発生層、電荷輸送層及び表面保護層をこの順に形成して電子写真感光体を製造する方法において、
該電荷輸送層を、上記式（１）で示される繰り返し構造単位を有するポリアリレート樹脂及び電荷輸送性物質を含有する電荷輸送層用塗布液を該電荷発生層上に塗布し、これを乾燥させることによって形成し、
該表面保護層を、連鎖重合性官能基を有する電荷輸送性物質を溶剤に溶解させて得られる表面保護層用塗布液を該電荷輸送層上に塗布し、これを硬化させることによって形成する
ことを特徴とする電子写真感光体の製造方法である。
【手続補正８】
【補正対象書類名】明細書
【補正対象項目名】００１３
【補正方法】変更
【補正の内容】
【００１３】
また、本発明は、上記電子写真感光体と、帯電手段、現像手段及びクリーニング手段からなる群より選ばれた少なくとも１つの手段とを一体に支持し、電子写真装置に着脱自在であることを特徴とするプロセスカートリッジである。
また、本発明は、上記電子写真感光体、帯電手段、露光手段、現像手段、転写手段及びクリーニング手段を有することを特徴とする電子写真装置である。
【手続補正９】
【補正対象書類名】明細書
【補正対象項目名】００１６
【補正方法】変更
【補正の内容】
【００１６】
【化７】
2007298952.tif 000007
【手続補正１０】
【補正対象書類名】明細書
【補正対象項目名】００１７
【補正方法】変更
【補正の内容】
【００１７】
（式（１）中、Ｒ１１〜Ｒ１８及びＲ２１〜Ｒ２８は、それぞれ独立に、水素原子、炭素数１〜４のアルキル基、アリール基、または、炭素数１〜３のアルコキシ基を示す。Ｘは、単結合、酸素原子、硫黄原子、または、下記式（２）で示される２価の基を示す。
【手続補正１１】
【補正対象書類名】明細書
【補正対象項目名】００１８
【補正方法】変更
【補正の内容】
【００１８】
【化８】
2007298952.tif 000008
【手続補正１２】
【補正対象書類名】明細書
【補正対象項目名】００１９
【補正方法】変更
【補正の内容】
【００１９】
（式（２）中、Ｒ３１及びＲ３２は、それぞれ独立に、水素原子、アルキル基、フッ化アルキル基、アルコキシ基、または、アリール基を示す、あるいは、Ｒ３１とＲ３２とが結合して形成されるシクロアルキリデン基、または、フルオレニリデン基を示す。））
【手続補正１３】
【補正対象書類名】明細書
【補正対象項目名】００２０
【補正方法】変更
【補正の内容】
【００２０】
上記式（１）中のＲ１１〜Ｒ１８及びＲ２１〜Ｒ２８で示される炭素数１〜４のアルキル基としては、メチル基、エチル基、プロピル基、ブチル基などが挙げられ、炭素数１〜３のアルコキシ基としては、メトキシ基、エトキシ基、プロポキシ基などが挙げられ、アリール基としては、フェニル基、ナフチル基などが挙げられるが、これらの中でも、メチル基、エチル基、メトキシ基、エトキシ基及びフェニル基が好ましい。特には、Ｒ２１及びＲ２６がメチル基であることが好ましい。
【手続補正１４】
【補正対象書類名】明細書
【補正対象項目名】００７５
【補正方法】変更
【補正の内容】
【００７５】
本発明の電子写真感光体は導電性支持体及び該導電性支持体上に設けられた感光層を有する電子写真感光体であり、その構成は、電荷発生物質を含有する電荷発生層と電荷輸送性物質を含有する電荷輸送層とに分離した積層型（機能分離型）であり、導電性支持体側から電荷発生層、電荷輸送層の順に積層した順層型感光層である。さらに、電荷輸送層上には、該感光層を保護、あるいは表面性を付与することを目的とした表面保護層を有する。
【手続補正１５】
【補正対象書類名】明細書
【補正対象項目名】００７６
【補正方法】変更
【補正の内容】
【００７６】
導電性支持体は、具体的にはアルミニウム、アルミニウム合金、ステンレス等の金属製（合金製）の支持体を用いることができる。また、アルミニウム、アルミニウム合金、酸化インジウム−酸化スズ合金などを真空蒸着によって被膜形成した層を有する上記金属製支持体やプラスチック製支持体を用いることもできる。また、カーボンブラック、酸化スズ粒子、酸化チタン粒子、銀粒子などの導電性粒子を適当な結着樹脂と共にプラスチックや紙に含浸した支持体や、導電性結着樹脂を有するプラスチック製の支持体などを用いることもできる。また、導電性支持体の形状としては円筒状、ベルト状などが挙げられるが、円筒状が好ましい。
【手続補正１６】
【補正対象書類名】明細書
【補正対象項目名】００７７
【補正方法】変更
【補正の内容】
【００７７】
また、導電性支持体の表面はレーザー光などの散乱による干渉縞の防止などを目的として、切削処理、粗面化処理、アルマイト処理などを施しても良い。
【手続補正１７】
【補正対象書類名】明細書
【補正対象項目名】００７８
【補正方法】変更
【補正の内容】
【００７８】
導電性支持体と感光層（電荷発生層、電荷輸送層）または後述の中間層との間には、レーザー光などの散乱による干渉縞の防止や、導電性支持体の傷の被膜を目的とした導電層を設けても良い。
【手続補正１８】
【補正対象書類名】明細書
【補正対象項目名】００８１
【補正方法】変更
【補正の内容】
【００８１】
また、導電性支持体または導電層と感光層（電荷発生層、電荷輸送層）との間には、バリア機能や接着機能を有する中間層を設けてもよい。中間層は、感光層の接着性改良、塗工性改良、導電性支持体からの電荷注入性改良、感光層の電気的破壊に対する保護などのために形成される。
【手続補正１９】
【補正対象書類名】明細書
【補正対象項目名】００９６
【補正方法】変更
【補正の内容】
【００９６】
また、電荷輸送層上には、表面保護層を積層する。表面保護層は、連鎖重合性官能基を有する電荷輸送性物質を溶剤に溶解させて得られる表面保護層用塗布液を電荷輸送層上に塗布し、これを硬化させることによって形成することができる。
【手続補正２０】
【補正対象書類名】明細書
【補正対象項目名】０１０７
【補正方法】変更
【補正の内容】
【０１０７】
［実施例７］
直径３０ｍｍ、長さ２６０．５ｍｍのアルミニウムシリンダーを導電性支持体とした。
【手続補正２１】
【補正対象書類名】明細書
【補正対象項目名】０１０９
【補正方法】変更
【補正の内容】
【０１０９】
この導電層用塗布液を導電性支持体上に浸漬塗布し、３０分間１４０℃で熱硬化させることによって、膜厚が１５μｍの導電層を形成した。
【手続補正２２】
【補正対象書類名】明細書
【補正対象項目名】０１１５
【補正方法】変更
【補正の内容】
【０１１５】
次に、分散剤としてフッ素原子含有樹脂（商品名：ＧＦ−３００、東亞合成（株）製）１．２５部を、１，１，２，２，３，３，４−ヘプタフルオロシクロペンタン（商品名：ゼオローラＨ、日本ゼオン（株）製）３７．５部と１−プロパノール３７．５部に溶解した後、潤滑剤として四フッ化エチレン樹脂粉体（商品名：ルブロンＬ−２、ダイキン工業（株）製）２５部を加え、高圧分散機（商品名：マイクロフルイダイザーＭ−１１０ＥＨ、米Ｍｉｃｒｏｆｌｕｉｄｉｃｓ社製）で６００ｋｇｆ／ｃｍ２の圧力で３回の処理を施し均一に分散させた。これを１０μｍのＰＴＦＥ製メンブレンフィルターで加圧濾過を行い、潤滑剤分散液を作製した。
次に、下記構造式（Ｈ）で示される電荷輸送性物質１００部、下記構造式（Ｉ）で示される熱重合開始剤０．５部、潤滑剤分散液４５部、１，１，２，２，３，３，４−ヘプタフルオロシクロペンタン６６．７部、１−プロパノール６６．７部を混合、攪拌したのち、ＰＴＦＥ製の５μｍメンブレンフィルターで加圧濾過を行い、表面保護層用塗布液を調製した。この塗布液を、浸漬コーティング法により電荷輸送層上に塗布したのち、１５０℃で６０分間加熱硬化させて膜厚５μｍの表面保護層を形成し、実施感光体７を作製した。
【化９】
2007298952.tif 000009
【化１０】
2007298952.tif 000010
【手続補正２３】
【補正対象書類名】明細書
【補正対象項目名】０１１６
【補正方法】変更
【補正の内容】
【０１１６】
この実施感光体７を、常温常湿環境下（２３℃／５５％ＲＨ）において、キヤノン（株）製複写機ＧＰ−４０を使用して２００００枚の通紙耐久試験を行い、画像欠陥の有無の観察、感光体の磨耗量を測定した。なお、感光体の磨耗量は、渦電流測定による測定（膜厚計：Ｆｉｓｈｃｅｒ  Ｐｅｒｍａｓｃｏｐｅ）及び干渉膜厚計（大塚電子製）により測定した。また、耐久試験前後の光放電特性を測定し、初期からの変動量（ΔＶｒ）を求めた。光放電特性は、初期帯電電位が−７００Ｖとなるように調整したのち、１００ｌｘの白色光を照射して０．５秒後の帯電電位を測定することにより評価した。なお、別途電荷輸送層用塗布液を膜厚２０μｍとなるようにＰＥＴフィルム上にマイヤーバーにて塗工、乾燥した膜を剥離して、Ｖ−５７０（日本分光（株）製）を使用して波長７７８ｎｍにおける透過率を測定した。この結果を表２に示す。
【手続補正２４】
【補正対象書類名】明細書
【補正対象項目名】０１１７
【補正方法】削除
【補正の内容】
【手続補正２５】
【補正対象書類名】明細書
【補正対象項目名】０１１８
【補正方法】削除
【補正の内容】
【手続補正２６】
【補正対象書類名】明細書
【補正対象項目名】０１１９
【補正方法】削除
【補正の内容】
【手続補正２７】
【補正対象書類名】明細書
【補正対象項目名】０１２０
【補正方法】削除
【補正の内容】
【手続補正２８】
【補正対象書類名】明細書
【補正対象項目名】０１２１
【補正方法】削除
【補正の内容】
【手続補正２９】
【補正対象書類名】明細書
【補正対象項目名】０１２２
【補正方法】削除
【補正の内容】
【手続補正３０】
【補正対象書類名】明細書
【補正対象項目名】０１２３
【補正方法】削除
【補正の内容】
【手続補正３１】
【補正対象書類名】明細書
【補正対象項目名】０１２４
【補正方法】削除
【補正の内容】
【手続補正３２】
【補正対象書類名】明細書
【補正対象項目名】０１２５
【補正方法】削除
【補正の内容】
【手続補正３３】
【補正対象書類名】明細書
【補正対象項目名】０１２６
【補正方法】削除
【補正の内容】
【手続補正３４】
【補正対象書類名】明細書
【補正対象項目名】０１２７
【補正方法】削除
【補正の内容】
【手続補正３５】
【補正対象書類名】明細書
【補正対象項目名】０１２８
【補正方法】変更
【補正の内容】
【０１２８】
［実施例８〜９］
実施例７において、電荷輸送層に含有されるポリアリレート樹脂を、表１に示すものに変更した以外は実施例７と同様に電子写真感光体及び透過率測定用サンプルを作製し、同様に評価した。その結果を表２に示す。
【手続補正３６】
【補正対象書類名】明細書
【補正対象項目名】０１３０
【補正方法】削除
【補正の内容】
【手続補正３７】
【補正対象書類名】明細書
【補正対象項目名】０１３１
【補正方法】削除
【補正の内容】
【手続補正３８】
【補正対象書類名】明細書
【補正対象項目名】０１３２
【補正方法】削除
【補正の内容】
【手続補正３９】
【補正対象書類名】明細書
【補正対象項目名】０１３３
【補正方法】削除
【補正の内容】
【手続補正４０】
【補正対象書類名】明細書
【補正対象項目名】０１３４
【補正方法】削除
【補正の内容】
【手続補正４１】
【補正対象書類名】明細書
【補正対象項目名】０１３５
【補正方法】変更
【補正の内容】
【０１３５】
［実施例１３］
電荷輸送層までは実施例７と同様に作製した。
次に、分散剤としてフッ素原子含有樹脂（商品名：ＧＦ−３００、東亞合成（株）製）１．２５部を、１，１，２，２，３，３，４−ヘプタフルオロシクロペンタン（商品名：ゼオローラＨ、日本ゼオン（株）製）３７．５部と１−プロパノール３７．５部に溶解した後、潤滑剤として四フッ化エチレン樹脂粉体（商品名：ルブロンＬ−２、ダイキン工業（株）製）２５部を加え、高圧分散機（商品名：マイクロフルイダイザーＭ−１１０ＥＨ、米Ｍｉｃｒｏｆｌｕｉｄｉｃｓ社製）で６００ｋｇｆ／ｃｍ２の圧力で３回の処理を施し均一に分散させた。これを１０μｍのＰＴＦＥ製メンブレンフィルターで加圧濾過を行い、潤滑剤分散液を作製した。
【手続補正４２】
【補正対象書類名】明細書
【補正対象項目名】０１３６
【補正方法】変更
【補正の内容】
【０１３６】
次に、上記構造式（Ｈ）で示される電荷輸送性物質１００部、潤滑剤分散液４５部、１，１，２，２，３，３，４−ヘプタフルオロシクロペンタン６６．７部、１−プロパノール６６．７部を混合、攪拌したのち、ＰＴＦＥ製の５μｍメンブレンフィルターで加圧濾過を行い、表面保護層用塗布液を調製した。この塗布液を、浸漬コーティング法により電荷輸送層上に塗布したのち、窒素中において加速電圧１５０ｋＶ、電子線の線量１０ｋＧｙの条件で硬化させ、引き続き感光体の温度が１２０℃となる条件で９０秒間加熱処理を行った。このときの酸素濃度は１０ｐｐｍであった。さらに感光体を大気中で１００℃に調整された熱風乾燥機中で３０分間加熱処理を行って、膜厚５μｍの表面保護層を形成し、実施感光体１３及び透過率測定用サンプルを作製した。この感光体を、実施例７と同様に評価した。その結果を表２に示す。
【手続補正４３】
【補正対象書類名】明細書
【補正対象項目名】０１３７
【補正方法】変更
【補正の内容】
【０１３７】
［実施例１４〜１５］
実施例１３において、電荷輸送層に含有されるポリアリレート樹脂を、表１に示すものに変更した以外は実施例１３と同様に電子写真感光体及び透過率測定用サンプルを作製し、同様に評価した。その結果を表２に示す。
【手続補正４４】
【補正対象書類名】明細書
【補正対象項目名】０１４０
【補正方法】変更
【補正の内容】
【０１４０】
【表１】
2007298952.tif 000011
【手続補正４５】
【補正対象書類名】明細書
【補正対象項目名】０１４１
【補正方法】変更
【補正の内容】
【０１４１】
【表２】
2007298952.tif 000012